(57)【要約】【課題】撮影画像を効率良く記録する。【解決手段】制御部４０は、メモリカード５１，５２の書き込み動作に関する情報、例えばメモリカード５１，５２のアクセス速度や空き容量、操作部２５から入力された情報に基づいて撮影画像の分割比を設定する。この設定された分割比で、画像メモリ１８に記憶されている撮影画像の画像データをディジタル信号処理部１７によって分割させてメモリカード５１，５２に分配させる。さらに、分配された画像データをメモリカード５１，５２で並行して記録させる。【選択図】        図１
2006041719.tif 000002
【特許請求の範囲】
【請求項１】
複数の記録手段を用いて撮影画像の記録再生を行う撮影画像記録再生方法において、
前記複数の記録手段の書き込み動作に関する情報に基づいて分割比を設定する分割比設定手順と、
前記設定された分割比で撮影画像を分割する分割処理手順と、
分割された前記撮影画像の画像データを前記複数の記録手段に分配して、該分配された画像データを並行して記録させる記録手順とを有する
ことを特徴と撮影画像記録再生方法。
【請求項２】
前記複数の記録手段は、アクセス速度を示す情報を有し、
前記分割比設定手順では、前記アクセス速度を示す情報を前記書き込み動作に関する情報として用い、アクセス速度の速い記録手段に多くの画像データを分配するように分割比を設定する
ことを特徴とする請求項１記載の撮影画像記録再生方法。
【請求項３】
前記分割比設定手順では、前記複数の記録手段の空き容量を検出して検出結果を前記書き込み動作に関する情報として用い、該空き容量が大きい記録手段に多くの画像データを分配するように分割比を設定する
ことを特徴とする請求項１記載の撮影画像記録再生方法。
【請求項４】
操作手段を設け、
前記分割比設定手順では、前記操作手段から入力された情報を前記複数の記録手段の書き込み動作に関する情報として用いて前記分割比を設定する
ことを特徴とする請求項１記載の撮影画像記録再生方法。
【請求項５】
前記記録手順では、前記分配された画像データを前記記録手段から読み出して１つの撮影画像に復元するための復元情報を生成して前記記録手段に記録させる
ことを特徴とする請求項１記載の撮影画像記録再生方法。
【請求項６】
前記復元情報に基づき前記複数の記録手段から１つの撮影画像を構成する画像データを読み出し、該読み出した画像データを用いて１つの撮影画像を生成させる結合手順を有する
ことを特徴とする請求項５記載の撮影画像記録再生方法。
【請求項７】
複数の記録手段を有したカメラにおいて、
一つの撮影画像を分割する分割手段と、
前記複数の記録手段と前記分割手段の動作を制御する制御手段を有し、
前記制御手段は、前記複数の記録手段の書き込み動作に関する情報に基づいて前記分割手段で行う分割処理の分割比を設定し、該分割処理により分割された撮影画像の画像データを前記複数の記録手段に分配して、該分配された画像データを並行して記録させる
ことを特徴とするカメラ。
【請求項８】
前記複数の記録手段は、アクセス速度を示す情報を有し、
前記制御手段は、前記アクセス速度を示す情報を前記書き込み動作に関する情報として用い、アクセス速度の速い記録手段に多くの画像データを分配するように分割比を設定する
ことを特徴とする請求項７記載のカメラ。
【請求項９】
前記制御手段は、前記複数の記録手段の空き容量を検出して検出結果を前記書き込み動作に関する情報として用い、該空き容量が大きい記録手段に多くの画像データを分配するように分割比を設定する
ことを特徴とする請求項７記載のカメラ。
【請求項１０】
操作手段を設け、
前記制御手段は、前記操作手段から入力された情報を前記複数の記録手段の書き込み動作に関する情報として用いて、前記分割手段で行う分割処理の分割比を設定する
ことを特徴とする請求項７記載のカメラ。
【請求項１１】
前記制御手段は、前記分配された画像データを前記記録手段から読み出して１つの撮影画像に復元するための復元情報を生成して前記記録手段に記録する
ことを特徴とする請求項７記載のカメラ。
【請求項１２】
前記分割された撮影画像の画像データを用いて１つの撮影画像を形成する結合手段を設け、
前記制御手段は、前記復元情報に基づき前記複数の記録手段と前記結合手段を制御して、前記複数の記録手段から１つの撮影画像を構成する画像データを読み出し、該読み出した画像データを用いて前記結合手段で１つの撮影画像を生成させる
ことを特徴とする請求項１１記載のカメラ。
【発明の詳細な説明】
【技術分野】
【０００１】
この発明は撮影画像記録再生方法とカメラに関する。詳しくは、複数の記録手段の書き込み動作に関する情報に基づいて撮影画像の分割比を設定し、この分割された撮影画像の画像データを複数の記録手段に分配して、分配された画像データを並行して記録させるものである。
【背景技術】
【０００２】
近年、ＣＣＤ（Charged Coupled Device）等の半導体撮像素子を用いて光電変換を行い、被写体像に応じた画像信号を生成して半導体メモリ等の記録媒体に記録するカメラが普及している。
【０００３】
このようなカメラにおいて、特許文献１の発明では、撮影画像を記録可能なメモリカードの数に分割し、その分割画像データを、それぞれ、各メモリカードに分配して同時に記録する。また、連写モードにおいて、次々と取り込まれる撮影画像を、異なるメモリカードに所定の順番で記録する。更に、１撮影画像の分割画像データと、この分割画像の排他的論理和を演算した誤り訂正用データとを、異なるメモリカードに同時に記録する。このようにして、撮影画像記録の高速化と、画像データの安全性の向上と、メモリの有効利用が図られている。
【０００４】
【特許文献１】特開２００３−１４３４５６号公報
【発明の開示】
【発明が解決しようとする課題】
【０００５】
ところで、撮影画像を記録可能なメモリカードの数に分割して複数のメモリカードに記録する場合、いずれかのメモリカードのアクセス速度が他のメモリカードよりも遅いと、アクセス速度の速いメモリカードを用いても、撮影画像の記録に時間を要してしまう。また、各メモリカードの空き容量が異なり、何れかのメモリカードの空き容量が少なくなってしまうと、他のメモリカードの空き容量が大きくとも、撮影画像を記録できなくなってしまう。
【０００６】
そこで、この発明では、効率よく撮影画像を記録できる撮影画像記録再生方法とカメラを提供するものである。
【課題を解決するための手段】
【０００７】
この発明に係る撮影画像記録再生方法は、複数の記録手段を用いて撮影画像の記録再生を行う撮影画像記録再生方法において、複数の記録手段の書き込み動作に関する情報に基づいて分割比を設定する分割比設定手順と、設定された分割比で撮影画像を分割する分割処理手順と、分割された撮影画像の画像データを複数の記録手段に分配して、該分配された画像データを並行して記録させる記録手順とを有するものである。
【０００８】
この発明に係るカメラは、複数の記録手段を有したカメラにおいて、一つの撮影画像を分割する分割手段と、複数の記録手段と分割手段の動作を制御する制御手段を有し、制御手段は、複数の記録手段の書き込み動作に関する情報に基づいて分割手段で行う分割処理の分割比を設定し、該分割処理により分割された撮影画像の画像データを複数の記録手段に分配して、該分配された画像データを並行して記録させるものである。
【０００９】
この発明においては、複数の記録手段の例えばアクセス速度や空き容量に基づき、アクセス速度の速い記録手段や空き容量の大きい記録手段に多くの画像データを分配するように分割比が設定されて、あるいはユーザによって操作手段から入力された情報に基づき分割比が設定されて、この分割比で分割された撮影画像の画像データが複数の記録手段に分配されて並行して記録される。また、分配された画像データを記録手段から読み出して１つの撮影画像に復元するための復元情報が生成されて記録手段に記録される。撮影画像の再生時には、復元情報に基づき、複数の記録手段から１つの撮影画像を構成する画像データが読み出されて結合手段によって結合されて１つの撮影画像が生成される。
【発明の効果】
【００１０】
この発明によれば、複数の記録手段の書き込み動作に関する情報に基づいて分割手段で行う分割処理の分割比が設定されて、この分割比で分割された撮影画像の画像データが複数の記録手段に分配されて並行して記録される。このため、効率よく撮影画像を複数の記録手段に分割して記録することができる。
【００１１】
また、アクセス速度を示す情報が書き込み動作に関する情報として用いられて、アクセス速度の速い記録手段に多くの画像データを分配するように分割比が設定されるので、撮影画像を複数の記録手段に分割して記録する際の記録時間を短くできる。また、複数の記録手段の空き容量が検出されて、空き容量が大きい記録手段に多くの画像データを分配するように分割比が設定されるので、複数の記録手段の空き領域を有効に活用して撮影画像を分割して記録することができる。さらに、操作手段から入力された情報で分割比を設定することができるので、ユーザの希望する分割比で撮影画像を分割して複数の記録手段に記録できる。
【００１２】
また、分配された画像データを記録手段から読み出して１つの撮影画像に復元するための復元情報が生成されて記録手段に記録される。また、この復元情報に基づき、複数の記録手段から１つの撮影画像を構成する画像データが読み出されて、結合手段によって１つの撮影画像が生成される。このため、撮影画像の画像データを分割して記録しても、正しく撮影画像を復元させることができる。
【発明を実施するための最良の形態】
【００１３】
以下、図を参照しながら、この発明の実施の一形態について説明する。図１は複数の記録手段、例えば２つのメモリカードを有したカメラ１０の概略構成を示すブロック図である。レンズ群１１は、複数のレンズで構成されており、焦点距離が固定あるいは可変のものが用いられる。このレンズ群１１は、後述するレンズ/アイリス駆動部２２のフォーカスモータによって駆動されて、フォーカス調整動作が行われる。また、焦点距離が可変できるようになされている場合、レンズ/アイリス駆動部２２のズームモータによって駆動されて、画角調整動作が行われる。アイリス１２は、後述するレンズ/アイリス駆動部２２によって駆動されて、開口径が例えば連続的に可変できるようになされている。メカシャッタ１３は、撮像部１４の入射光路に進退自在な遮光板から成り、後述する制御部４０によって制御される。
【００１４】
撮像部１４は、光電変換素子（フォトセンサ）が２次元的に配列された撮像素子、例えばＣＣＤ(Charge Coupled Device)型やＭＯＳ(Metal Oxide Semiconductor)型などの撮像素子が用いられる。この撮像素子は、各センサで生成した電荷をシャッタゲートパルスによって掃き捨てて、電荷の蓄積時間を制御できる、所謂電子シャッタ機能を有している。レンズ群１１やアイリス１２，メカシャッタ１３を介して光が入射されて、撮像素子の撮像面に被写体像が結像されと、撮像部１４では被写体像に応じた撮像信号を生成してアナログ信号処理部１５に供給する。この撮像部１４は、後述する撮像駆動部２３によって駆動される。
【００１５】
アナログ信号処理部１５は、撮像部１４から供給された撮像信号の増幅処理、相関二重サンプリング法等によるノイズ低減処理、ダイナミックレンジの圧縮処理等を行い、Ａ／Ｄ変換部１６に供給する。Ａ／Ｄ変換部１６は、アナログ信号処理部１５で信号処理が行われた撮像信号をディジタル信号に変換して画像データとしてディジタル信号処理部１７に供給する。
【００１６】
ディジタル信号処理部１７は、供給された画像データに対して、シャープネスやコントラストおよび彩度等調整する画質調整処理、ホワイトバランス調整処理、撮影画像の明るさやフォーカスの検出、撮影画像の画像サイズ調整等を必要に応じて行う。このディジタル信号処理部１７で得られた画像データは、バス２０を介して表示部２１に供給される。また、後述する操作部２５でシャッタ操作が行われたときには、シャッタ操作が行われたときの撮影画像の画像データを画像メモリ１８に一時記憶させる。その後、画像メモリ１８に記憶された画像データは、ディジタル信号処理部１７によって読み出されて、バス２０を介して表示部２１やメモリカードインタフェース（メモリカードＩ／Ｆ）３１，３２、外部インタフェース（外部Ｉ／Ｆ）３３に供給される。なお、メモリカードＩ／Ｆ３１，３２は、記録手段であるメモリカード５１，５２をカメラ１０と接続するためのインタフェースである。また、外部Ｉ／Ｆ３３は、外部機器、例えばコンピュータ装置やプリンタ装置等とカメラ１０を接続するためのインタフェースである。
【００１７】
ここで、後述する制御部４０によって撮影画像の分割比が設定されたとき、ディジタル信号処理部１７は、画像メモリ１８に記憶されている撮影画像を設定された分割比で分割して、分割された撮影画像の画像データをメモリカードＩ／Ｆ３１，３２に分配する。また、メモリカードＩ／Ｆ３１，３２を介してメモリカード５１，５２から分割画像の画像データが読み出されたときは、分割画像の画像データを用いて１つの撮影画像の画像データを生成する。例えば、メモリカード５１，５２から読み出した画像データを画像メモリ１８に記憶させる際に、画像メモリ１８に記憶された画像データが１つの撮影画像の画像データとなるように画像データの記憶位置を制御する。
【００１８】
また、ディジタル信号処理部１７では、メモリカード５１，５２に画像データを記録するとき、あるいは外部Ｉ／Ｆ３３から出力するとき、データ量が少なくなるようにデータ圧縮処理を行うものとしたり、データ圧縮された画像データのデータ伸長処理を行うものとしても良い。
【００１９】
表示部２１は、バス２０を介して供給された画像データに基づき、被写体を撮影するときの構図などを確認するためのモニタ画像や、シャッタ操作によって撮影された撮影画像の表示を行う。また、メモリカード５１，５２に記録された撮影画像を表示して、記録された撮影画像の確認を可能とする。さらに、表示部２１では種々のメニュー表示を行い、メニュー表示に基づいて操作部２５を操作することにより、カメラ１０の種々の設定を容易に行えるものとする。
【００２０】
レンズ/アイリス駆動部２２は、制御部４０からのレンズ/アイリス制御信号に基づきレンズ群１１やアイリス１２を駆動して、画角調整動作、フォーカス調整動作、アイリス１２の開口径制御動作を行う。
【００２１】
撮像駆動部２３は、制御部４０から供給された撮像制御信号に基づき、撮像部１４で必要とされる種々のタイミング信号を生成して撮像部１４に供給し、撮像信号の生成動作を制御する。また、電子シャッタ動作を行わせる。ストロボ部２４は、制御部４０からの発光制御信号に基づき、シャッタのタイミングに合わせてストロボ発光を行う。
【００２２】
操作部２５は、ユーザ操作に応じた操作信号を制御部４０に供給して、カメラ１０の設定、例えば撮影モードや露出モードの設定、撮影画像を記録する際の条件設定、撮影画像の再生指示等を行う。また操作部２５には、シャッタスイッチが設けられており、シャッタスイッチでシャッタ操作が行われたときは、シャッタ操作に応じた操作信号を制御部４０に供給して、被写体の撮影を行う。
【００２３】
メモリカードＩ／Ｆ３１，３２は、上述のようにカメラ１０とメモリカード５１，５２を接続するためのインタフェースであり、メモリカードＩ／Ｆ３１を介して撮影画像をメモリカード５１に記録する。また、メモリカードＩ／Ｆ３２を介して撮影画像をメモリカード５２に記録する。さらに、メモリカード５１に記録されている画像データを、メモリカードＩ／Ｆ３１を介して読み出し可能とし、メモリカード５２に記録されている画像データを、メモリカードＩ／Ｆ３２を介して読み出し可能とする。
【００２４】
ＲＯＭ(Read Only Memory)３５は、カメラ１０を動作させるためのプログラムを記憶する。また、ＲＯＭ３５として書き換え可能な不揮発性メモリ、例えばＥＥＰＲＯＭ(Electronically Erasable and Programmable Read Only Memory)等が用いられているときには、ユーザが設定した種々の設定情報等を記憶する。ＲＡＭ(Random Access Memory)３６は、カメラ１０の動作中に用いられる種々のデータ等を一時格納するためのワークメモリである。
【００２５】
電源部３７は、内蔵されたバッテリあるいは外部から供給された電力を用いて、カメラ１０の各部に対して電源供給を行う。また、電源部３７は、バッテリの残量を検出して検出結果を示す残量検出信号を制御部４０に供給する。
【００２６】
制御部４０は、操作部２５からの操作信号に基づいて各部を制御することにより、ユーザ操作に応じてカメラ１０を動作させる。例えば、操作部２５によって動作開始操作が行われたとき、制御部４０はメカシャッタ１３によって入射光路を開放して撮像部１４を駆動し、表示部２１でモニタ画像を表示させる。また、撮影モードや露出モードに応じてアイリス１２の制御を切り換える。その後、操作部２５のシャッタスイッチが半押し状態とされたときは、ディジタル信号処理部１７でのフォーカス検出結果に基づきレンズ群１１を制御してフォーカス調整を行い、被写体に焦点を合わせる。シャッタスイッチが深押し状態とされたときは、撮像部１４で電子シャッタによる電荷蓄積を開始して、シャッタ速度に応じた露光期間経過後にメカシャッタ１３によって入射光路を遮断する。この露光期間中に蓄積された電荷に基づき撮像信号を生成して、信号処理を行い、得られた撮影画像の画像データをメモリカード５１，５２に記録させる。また、制御部４０は、ディジタル信号処理部１７で検出された撮影画像の明るさに基づき、アイリス１２や撮像部１４の電子シャッタ機能を制御して、露出が適正となるように露光制御を行う。
【００２７】
ここで、制御部４０は、撮影画像をメモリカード５１，５２に記録する際、メモリカード５１，５２の書き込み動作に関する情報に基づいて、撮影画像の分割比を設定して、ディジタル信号処理部１７で分割された撮影画像の画像データを、メモリカードＩ／Ｆ３１，３２に分配して、メモリカード５１，５２で並行して記録させる。
【００２８】
次に、２つのメモリカードに撮影画像を分割して記録する場合の撮影画像の記録動作について、図２のフォローチャートを用いて説明する。ステップＳＴ１で制御部４０は、１つの撮影画像の画像データを分割して記録する際の分割比の設定を行う。この分割比の設定は、メモリカード５１，５２の書き込み動作に関する情報に基づいて行う。例えば、フラッシュメモリを用いたメモリカードでは、メモリカードのコンフィギュレーションやメモリカードへのアクセスの仕方等を示したカード属性情報(CIS:Card Information Structure)が設けられている。このカード属性情報でアクセス速度が示されているときには、アクセス速度の比に応じて、分割比を設定する。すなわち、メモリカード５１のアクセス速度がメモリカード５２のアクセス速度よりも速いときには、メモリカード５１に記録する画像データを多くして、例えばメモリカード５１に対する画像データの書き込みとメモリカード５２に対する画像データの書き込みが同時に終了するように分割比を設定する。このように、アクセス速度に基づいて分割比を設定すれば、画像データの記録に要する時間を短くできる。また、ユーザが操作部２５を操作してメモリカード５１，５２のアクセス速度等の書き込み動作に関する情報を入力したとき、制御部４０は、操作部２５から入力された情報に基づいて分割比を設定する。このように、操作部２５から入力された情報に基づいて分割比を設定することで、ユーザの所望する分割比で撮影画像を分割してメモリカード５１，５２に記録できる。さらに、ステップＳＴ１で制御部４０は、メモリカード５１，５２の空き容量の検出を行い、空き容量が大きいメモリカードに多くの画像データを分配するように分割比を設定するものとしても良い。この場合、メモリカード５１，５２の空き領域を有効に活用して撮影画像を分割して記録できる。
【００２９】
ステップＳＴ２で制御部４０は、シャッタ操作が行われた否かを判別する。ここで、シャッタ操作が行われていないときはステップＳＴ３に進み、シャッタ操作が行われたときはステップＳＴ４に進む。
【００３０】
ステップＳＴ３で制御部４０は、モニタ画像表示処理を行う。このモニタ画像表示処理において制御部４０は、メカシャッタ１３によって入射光路を開放し、撮像駆動部２３によって撮像部１４を駆動して、例えばフレーム単位で更新されるモニタ画像を表示部２１に表示させてステップＳＴ２に戻る。このように表示部２１にモニタ画像を表示させることで、被写体を撮影するときの被写体の位置や画角等を確認することができる。
【００３１】
ステップＳＴ４で制御部４０は、露光制御を行う。この露光制御において制御部４０は、メカシャッタ１３と撮像駆動部２３を制御して、メカシャッタ１３で入射光路を開放する。その後、入射光路の開放からシャッタ期間が経過したとき撮像部１４で電荷の読み出しを行い撮像信号を生成して出力させる。
【００３２】
ステップＳＴ５で制御部４０は、撮影画像の画像データを画像メモリ１８に保持させる。すなわち、撮像部１４から出力された撮像信号に対してアナログ信号処理やディジタル信号処理を行い、信号処理後に得られた画像データを画像メモリ１８に記憶させる。
【００３３】
ステップＳＴ６で制御部４０は、画像メモリ１８に記憶されている撮影画像の画像データ量を算出して、ステップＳＴ７に進む。ステップＳＴ７で制御部４０は、ステップＳＴ１で設定した分割比で、画像メモリ１８に記憶されている撮影画像の分割処理を行いステップＳＴ８に進む。ここで、撮影画像の分割処理を行う際に、制御部４０は、メモリカード５１，５２の空き容量を検出して、メモリカード５１に記録する画像データのデータ量がメモリカード５１の空き容量よりも大きくなるとき、あるいはメモリカード５２に記録する画像データのデータ量がメモリカード５２の空き容量よりも大きくなるときは、分割された撮影画像の画像データを全てメモリカードに記録することができないことから分割比を変更する。例えばメモリカード５１，５２の空き容量の比に応じて撮影画像の分割を行うものとする。このように、空き容量が不足するとき、分割された撮影画像の画像データを全てメモリカードに記録することができるように分割比を変更することで、画像データの記録に要する時間を短くできるとともに、メモリカードの空き領域を有効に活用できる。
【００３４】
撮影画像の分割は、例えば図３Ａに示すように撮影画像ＰＴが左右方向に区分されるように分割して、左側の画像ＰＴ-Lの画像データをメモリカード５１、右側の画像ＰＴ-Rの画像データをメモリカード５１とする。あるいは、撮影画像が上下方向に区分されるように分割したり、中心部分と周辺部分に区分されるよう分割するものとしてもよい。このように撮影画像の分割を行うと、一方のメモリカードから画像データを読み出したとき、撮影画像の一部を表示することができる。また、撮影画像の分割では、図３Ｂに示すように撮影画像ＰＴの画像データの間引きを行い、例えばハッチングで示す画素ＰＴ-aのデータをメモリカード５１、ハッチングのない画素ＰＴ-bのデータをメモリカード５２に記録するものとしてもよい。この場合、一方のメモリカードから画像データを読み出したとき、読み出した画像データは間引き後の画像データであるから表示される画像は撮影画像を間引き動作に応じて縮小した画像となる。このため、各メモリカードから画像データを読み出さなくとも、一つのメモリカードから画像データを読み出すだけで、どのような撮影画像が分割して記録されているか容易に確認できる。
【００３５】
ステップＳＴ８で制御部４０は、分割された撮影画像の画像データをそれぞれメモリカードＩ／Ｆ３１，３２に分配して、メモリカード５１，５２に並行して記録させる。また、分配された画像データをメモリカード５１，５２から読み出して１つの撮影画像に復元するための復元情報を生成してメモリカードに記録する。例えば、いずれの撮影画像を分割した画像データであるかを示す情報や、分割比を示す分割比情報、いずれの表示位置の画像であるかを示す位置情報、間引きにより分割を行った場合はどのように間引きが行われているかを示す間引き情報等を生成して復元情報とする。この復元情報を、各メモリカードあるいはいずれかのメモリカードに記録する。
【００３６】
分割して記録された撮影画像を再生するときは、メモリカードに記録されている復元情報に基づき、分割されている撮影画像を１つの撮影画像に復元する。すなわち、制御部４０は、メモリカードに記録されている復元情報に基づいて、メモリカード５１，５２から所望の撮影画像を分割した撮影画像の画像データを読み出す。この読み出した画像データに対して分割処理とは逆の結合処理を行い、分割前の撮影画像の画像データが画像メモリ１８に記憶されるように、画像メモリ１８に対して読み出した画像データの書き込みを制御する。また、復元情報に間引き情報が含まれているときは、画像データの間引きと逆の処理を行い、画像データを元の順序に並べて画像メモリ１８に書き込むことで、分割前の撮影画像の画像データを画像メモリ１８に記憶させる。さらに、制御部４０は、画像メモリ１８に記憶された画像データを読み出して表示部２１に供給することで、メモリカード５１，５２に分割して記録されている撮影画像を分割前の状態に戻して１つの撮影画像として表示部２１に表示させることができる。また、画像メモリ１８に記憶された画像データを外部Ｉ／Ｆ３３から出力することで、外部Ｉ／Ｆ３３に接続された機器に対して、撮影画像の画像データを分割前の状態で供給できる。
【００３７】
なお、上述の形態では、記録手段として２つのメモリカードを用いる場合を示したが、記録手段は半導体素子を用いて構成されたメモリカードに限られるものではなく、例えば磁気ディスクや光ディスク等の記録媒体を用いる記録手段であっても良い。また、記録手段の数も複数であれば良く、２つに限られるものではない。例えば、記録手段の数を増やすことにより、１つの記録手段で記録する画像データのデータ量が少なくなることから、撮影画像の記録に要する時間を削減することができる。
【００３８】
このように、複数の記録手段の書き込み動作に関する情報に基づいて分割比が設定されて、この分割比で分割された撮影画像の画像データが複数の記録手段に分配されて並行して記録されるので、効率よく撮影画像を複数の記録手段に分割して記録することができる。また、アクセス速度を示す情報や記録手段の空き容量に基づき、アクセス速度の速い記録手段や空き容量の大きき記録手段に多くの画像データを分配するように分割比が設定されるので、記録時間の短縮化や複数の記録手段の空き領域を有効に活用できる。また、分割比をユーザが設定できるので、所望の分割比で撮影画像を分割して記録手段に記録することができる。
【００３９】
さらに、分配された画像データを記録手段から読み出して１つの撮影画像に復元するための復元情報が生成されて記録手段に記録されて、この復元情報に基づき、複数の記録手段から１つの撮影画像を構成する画像データが読み出されて、結合手段によって１つの撮影画像が生成される。このため、撮影画像の画像データを分割して記録しても、正しく撮影画像を復元させることができる。
【産業上の利用可能性】
【００４０】
以上のように、本発明に係る撮影画像記録再生方法とカメラは、撮影画像を効率よく複数の記録手段に分割して記録するのに適している。
【図面の簡単な説明】
【００４１】
【図１】カメラの概略構成を示す図である。
【図２】撮影画像の記録動作を示すフローチャートである。
【図３】撮影画像の分割動作を示す図である。
【符号の説明】
【００４２】
１０・・・カメラ、１１・・・レンズ群、１２・・・アイリス、１３・・・メカシャッタ、１４・・・撮像部、１５・・・アナログ信号処理部、１６・・・Ａ／Ｄ変換部、１７・・・ディジタル信号処理部、１８・・・画像メモリ、２０・・・バス、２１・・・表示部、２２・・・レンズ／アイリス駆動部、２３・・・撮像駆動部、２４・・・ストロボ部、２５・・・操作部、３１，３２・・・メモリカードインタフェース、３３・・・外部インタフェース、３５・・・ＲＯＭ、３６・・・ＲＡＭ、３７・・・電源部、４０・・・制御部、５１，５２・・・メモリカード
【図１】
2006041719.tif 000003
【図２】
2006041719.tif 000004
【図３】
2006041719.tif 000005